(57)【要約】【課題】日除けとしての機能を奏すると同時に、回転しつつ風を上方より取り込むことができるパラソルを提供する。【解決手段】支柱部１に対し傘骨３を介して帆布８を開閉可能に取り付けて成るパラソルであって、帆布８には、その一部を開放するための開閉機構Ｐを備える。開閉機構Ｐは、スライドファスナー、マジックテープ（登録商標）、スナップボタンのいずれかを帆布８に付設して成るものとする。また、支柱部１に対して帆布８と共に傘骨３が回転するよう当該支柱部１と傘骨３との間に回転機構Ｑを介装する。【選択図】図５
0003130086.tif 000002
【実用新案登録請求の範囲】
【請求項１】
支柱部に対し傘骨を介して帆布を開閉可能に取り付けられて成るパラソルであって、帆布には、その一部を開放させるための開閉機構を備えたことを特徴とするパラソル。
【請求項２】
開閉機構は、スライドファスナー、マジックテープ（登録商標）、スナップボタンのいずれかを帆布に形成した切り込み部の縁部同士に付設して成るものとする請求項１記載のパラソル。
【請求項３】
支柱部に対して帆布と共に傘骨が回転するよう当該支柱部と傘骨との間に回転機構を介装した請求項１または２記載のパラソル。
【考案の詳細な説明】
【技術分野】
【０００１】
本考案は、海水浴場の砂場等で直射日光を避けるためのビーチパラソル、または、屋外イベント会場やレジャー施設、公園・庭園等における多数人の日除けとしてのガーデンパラソル等として使用されるパラソルに関する。
【背景技術】
【０００２】
従来、一般に、海水浴場の砂場等で直射日光を避けるためのビーチパラソルとしては、砂場に下端部を直立状態に支持させた支柱部の上端部に折り畳み可能な複数の傘骨を放射状に備え、各傘骨全体にわたって帆布を付設して成るもので、使用時には、この傘骨を支柱部から開くことで帆布面を傘状に張設して使用するようになっている。
【特許文献１】特になし
【考案の開示】
【考案が解決しようとする課題】
【０００３】
しかしながら、従来のパラソルは、支柱部に折り畳みの式の傘骨を介して帆布が付設されているに過ぎないものである。したがって、例えば海水浴場の砂場に立てて使用する場合は、日除けとしての機能を奏するが、かえって風通しを悪くし、例え風が吹いていても充分な厚さ防止にはならないという問題点を有していた。
【０００４】
そこで、本考案は、叙上のような従来存した諸事情に鑑み案出されたもので、例えば真夏の海岸等において、日除けとしての機能を奏すると同時に、風を上方より取り込むことができ、あたかも扇風機を使ったように涼むことができるパラソルを提供することを目的とする。
【課題を解決するための手段】
【０００５】
上述した課題を解決するため、本考案にあっては、支柱部に対し傘骨を介して帆布を開閉可能に取り付けられて成るパラソルであって、帆布には、その一部を開放させるための開閉機構を備えたことを特徴とする。
【０００６】
開閉機構は、スライドファスナー、マジックテープ（登録商標）、スナップボタンのいずれかを帆布に形成した切り込み部の縁部同士に付設して成るものである。
【０００７】
支柱部に対して帆布と共に傘骨が回転するよう当該支柱部と傘骨との間に回転機構を介装したものである。
【考案の効果】
【０００８】
本考案によれば、例えば真夏の海岸等において、日除けとしての機能を奏すると同時に、風を上方より取り込むことができ、あたかも扇風機を使ったように涼むことができる。しかも、何等の冷房装置を使うことなく、自然の風を利用できるため、省エネ、省資源にも貢献することができる。
【考案を実施するための最良の形態】
【０００９】
以下、図面を参照して本考案を実施するための最良の一形態を説明する。
図において示される符号１は、本考案に係るパラソルを構成するところの、例えば海水浴場の砂場等に起立状に差し込まれる支柱部であり、該支柱部１は、図２、図５に示すように、この頂部へ、例えばラジアル軸受２を使った回転機構Ｑを介して複数本の傘骨３が放射状に取り付けられている。そして、支柱部１の外周には摺動環４が摺動自在に装着され、該摺動環４にステー部材５の一端が回動自在に枢着され、前記傘骨３にステー部材５の他端が回動自在に枢着されている。尚、回転機構Ｑとしては、ラジアル軸受２に代わる他の構成を採用しても良いことは勿論である。
【００１０】
この摺動環４は、図５に示すように、支柱部１内に配されたバネ６の付勢力により常時外方へ突出され、このバネ６の付勢に抗して押圧することで支柱部１の内部へ退避可能としたストッパー７によって係止される。したがって、支柱部１に対して傘骨３を突っ張るようにして開いた状態が維持できる。また、傘骨３を支柱部１側に閉じ込む場合には、ストッパー７を手指で押圧して支柱部１内に退避させることで摺動環４の係止が解除され、これによって傘骨３は支柱部１側に閉じ込まれる。尚、このストッパー７の機構として他の構成を採用しても良いことは勿論である。
【００１１】
また、図１および図２に示すように、各傘骨３にわたっては、日除けのための例えば光反射可能な合成樹脂製材質を使った帆布８を縫製等によって付設させてある。本形態においては、支柱部１に対し８本の傘骨３を放射状に設け、これら傘骨３が開いた状態では、帆布８が正八角形の状態に張設されるようにしている（図１、図３参照）。
【００１２】
また、傘骨３に挟まれている各帆布８の内側には、図４、図６に示すように、当該帆布８の一部を開放させるための開閉機構Ｐを備えている。しかして、この開閉機構Ｐとしては、単に各傘骨３に沿ってスライドファスナー１０を付設して形成するものでも良いが、帆布８の一部が傘骨３方向（径方向）に垂直な円周方向に向けられるように垂下した状態で開放されるよう傘骨３に沿って漸次幅広となる略コ字形の切り込み部９を形成し、この切り込み部９の縁部同士にスライドファスナー１０を付設することで形成するのが望ましい。
【００１３】
尚、図１乃至図４では、傘骨３方向（径方向）に沿った切り込み部９のみの縁部同士にスライドファスナー１０を付設し、両端側の円周方向に沿った切り込み部９は開放状態のままにしてある。この場合には、開閉機構Ｐが開放された状態において、スライドファスナー１０同士が互いに外れるようにする。また、このようなスライドファスナー１０を用いる替わりにマジックテープ（登録商標）、スナップボタン等を採用しても良い。
【００１４】
次に、以上のように構成された最良の形態についての使用、動作の一例について説明する。
先ず、海水浴場の砂場等に支柱部１が起立状に差し込まれる。そして、図５に示すように、摺動環４を支柱部１に沿って上方側に摺動させると、該摺動環４がいったんストッパー７を押圧して上方に移動した際に該ストッパー７はバネ６の付勢力により外方へ突出されることで摺動環４は係止される。したがって、支柱部１に対して傘骨３が突っ張るようにして開いた状態が維持され、これによって、図１および図２に示すように、帆布８が支柱部１上部で傘状に展開された状態となる。
【００１５】
また、開閉機構Ｐによって帆布８の一部を開放する場合には、図６に示すように、切り込み部９の縁部同士を塞いでいるスライドファスナー１０を開くことによって、図３および図４に示すように、帆布８の一部が垂下状に開いた状態となる。そして、開放部から垂れ下がった帆布８に風が突き当たって、帆布８自体は回転機構Ｑとしてのラジアル軸受２を介して支柱部１の廻りに回転すると同時に、風は帆布８の開放部を通って帆布８下側に入り、真夏の海で使用者はあたかも扇風機を使ったように涼むことができる。尚、スライドファスナー１０の開度を調整することによって帆布８下側に入り込む風量を調整することができる。
【００１６】
また、傘骨３を支柱部１側に閉じ込む場合には、開閉機構Ｐにおけるスライドファスナー１０を閉じてから、ストッパー７を手指で押圧して支柱部１内に退避させることで摺動環４の係止を解除し、当該摺動環４を下方側に摺動することによって傘骨３は支柱部１側に閉じ込まれる。これによって帆布８が支柱部１側に折り畳まれた状態となり、支柱部１を砂場から抜き取って持ち帰れば良い。
【図面の簡単な説明】
【００１７】
【図１】本考案を実施するための最良の形態における開閉機構を閉じた状態のパラソルの平面図である。
【図２】同じく開閉機構を閉じた状態のパラソルの側面図である。
【図３】同じく開閉機構を開いた状態のパラソルの平面図である。
【図４】同じく開閉機構を開いた状態のパラソルの側面図である。
【図５】図３中のＸ−Ｘ断面図である。
【図６】開閉機構を開いた状態のパラソルの拡大された一部切欠平面図である。
【符号の説明】
【００１８】
Ｐ    開閉機構
１    支柱部
２    ラジアル軸受
３    傘骨
４    摺動環
５    ステー部材
６    バネ
７    ストッパー
８    帆布
９    切り込み部
１０  スライドファスナー
【図１】
0003130086.tif 000003
【図２】
0003130086.tif 000004
【図３】
0003130086.tif 000005
【図４】
0003130086.tif 000006
【図５】
0003130086.tif 000007
【図６】
0003130086.tif 000008
【手続補正書】
【提出日】平成19年1月12日(2007.1.12)
【手続補正１】
【補正対象書類名】実用新案登録請求の範囲
【補正対象項目名】全文
【補正方法】変更
【補正の内容】
【実用新案登録請求の範囲】
【請求項１】
支柱部に対し傘骨を介して帆布を開閉可能に取り付けられて成るパラソルであって、帆布には、その一部に切り込み部が形成され、当該切り込み部を開放させるための開閉機構を備えたことを特徴とするパラソル。
【請求項２】
開閉機構は、スライドファスナー、マジックテープ（登録商標）、スナップボタンのいずれかを帆布に形成した切り込み部の縁部同士に付設して成るものとする請求項１記載のパラソル。
【請求項３】
支柱部に対して帆布と共に傘骨が回転するよう当該支柱部と傘骨との間に回転機構を介装した請求項１または２記載のパラソル。
【手続補正２】
【補正対象書類名】明細書
【補正対象項目名】０００５
【補正方法】変更
【補正の内容】
【０００５】
上述した課題を解決するため、本考案にあっては、支柱部に対し傘骨を介して帆布を開閉可能に取り付けられて成るパラソルであって、帆布には、その一部に切り込み部が形成され、当該切り込み部を開放させるための開閉機構を備えたことを特徴とする。